(57)【特許請求の範囲】
【請求項１】
壁体に貫通孔を形成するための貫通孔形成用型枠装置であって、
所定の厚さを有し変形可能な材質からなる筒状の外装体と、
前記外装体の内側に軸方向に取り外し可能に配置されて前記外装体を所定の外径に保つ内芯体と、
を備え、
前記内芯体の内径及び外径は、共に、取り出す側が最も大きく、前記取り出す側から前記軸方向の奥に向かって漸次小さくなっており、
前記外装体の外径は、前記軸方向に対して同一であり、
前記外装体の内径は、前記内芯体の外径に対応して前記取り出す側が最も大きく、前記取り出す側から前記軸方向の奥に向かって漸次小さくなっており、
更に、前記外装体の内周断面は、波状あるいは十字状に形成されていて、前記外装体を取り外すときに、前記外装体を変形させて取り出すことができることを特徴とする貫通孔形成用型枠装置。
【請求項２】
前記外装体の外表面の全体に、フィルム状のカバーを更に備えており、
前記カバーは、前記壁体を形成する材料に対して接着力の小さい材質で形成されていることを特徴とする請求項１に記載の貫通孔形成用型枠装置。
【請求項３】
前記カバーは、不織布で形成されていて、前記壁体を形成するコンクリートを流し込むと水分を吸収して膨張し、前記コンクリートが乾燥すると縮小して取り出しやすくなることを特徴とする請求項２に記載の貫通孔形成用型枠装置。
【請求項４】
型枠内の貫通孔形成部位に、請求項１に記載の貫通孔形成用型枠装置を配置し、
前記型枠内にコンクリートを打設し、前記コンクリートの硬化後に堰板を取り外し、
前記コンクリート内に埋設された前記貫通孔形成用型枠装置の前記内芯体を、前記外装体から抜き取り、
前記外装体を変形させながら、当該外装体を前記コンクリートの壁体から抜き取って貫通孔を形成する、貫通孔の施工方法。
【請求項５】
型枠内の貫通孔形成部位に、請求項２または３に記載の貫通孔形成用型枠装置を配置し、
前記型枠内にコンクリートを打設し、前記コンクリートの硬化後に堰板を取り外し、
前記コンクリート内に埋設された前記貫通孔形成用型枠装置の前記内芯体を、前記外装体から抜き取り、
前記外装体を変形させながら、前記カバーと共に当該外装体を前記コンクリートの壁体から抜き取って貫通孔を形成する、貫通孔の施工方法。
【発明の詳細な説明】
【技術分野】
【０００１】
この発明は、型枠内にコンクリートを打設して形成される基礎や梁、壁等の構造体に配管用の貫通孔を形成するための貫通孔形成用型枠装置および同装置を用いた貫通孔の施工方法に関し、特に、低コストで主要部の再利用可能な貫通孔形成用型枠装置および同装置を用いた貫通孔の施工方法に関する。
【背景技術】
【０００２】
住宅基礎に配管用の貫通孔を設けるため、コンクリートを流し込む前の段階で、円筒状の空間を確保しておく必要がある。従来、基礎や梁、壁等を形成するコンクリート構造体に配管用の貫通孔を施工する場合には、硬質の厚紙からなるスリーブが広く利用されてきた（特開平３−１７３５２号公報参照）。紙製のスリーブは、コンクリート打設前に型枠内の所定位置に取り付けられ、コンクリート打設後に、鋭利な工具等で突き崩す等によってコンクリートから剥がし取っていた。これらの部材は使い捨て部材であり、使用後は産業廃棄物として処分する必要があった。
他方、産業廃棄物の発生を回避するために、硬質塩化ビニル等からなるスリーブをコンクリート内に埋め殺す施工方法が採用される場合もあるが、これについては資源の有効利用という観点から改善が求められていた。
【０００３】
複数回の再利用が可能な型枠装置として、硬化後のコンクリートから容易に離型することができるスリーブ装置が提案されている（特開２００１−４７８０３号公報参照）。このスリーブ装置は、硬質の中空パイプ芯材と、パイプ芯材の外側に挿装される変形自在なフレキシブル筒とからなる二重構造であって、フレキシブル筒の内外表面には離型処理が施されている。コンクリート打設後に、先ず中空パイプ芯材をフレキシブル筒から抜き取り、フレキシブル筒を、その柔軟性を利用して内側に変形させることにより、コンクリートから剥がし取っていた。
しかし、コンクリート打設後に中空パイプ芯材を抜き取るのは比較的容易であるが、フレキシブル筒を内側に変形させながら剥がし取ることは、簡単ではなく、フレキシブル筒を損傷して再利用に支障をきたす場合が多かった。
【０００４】
特開２００８−２８５９５５号公報に、廃棄物を生じず、主要部分は再利用可能で、施工性と経済性をバランスよく備えた貫通孔形成用型枠装置と、その装置を用いた貫通孔の施工方法が開示されている。図６に貫通孔形成用型枠装置を示す。
【０００５】
上述した貫通孔形成用型枠装置１０１は、両端が開口した略筒状のホルダ１０２と、ホルダ１０２の一端開口に嵌装されるパッキン１０３と、ホルダ１０２の内側に嵌挿されるスリーブ１０４と、スリーブ１０４の端面を閉塞するキャップ１０５とを備えている。ホルダ１０２は、塩化ビニル、ポリプロピレン、ポリスチレン等の合成樹脂からなる薄肉部材である。パッキン１０３は、合成ゴム、エラストマーその他の耐水性を有する柔軟な弾性材料からなる有底短筒状の部材である。
【０００６】
スリーブ１０４は、塩化ビニル、ポリプロピレン、ポリスチレン等の合成樹脂からなる部材で、略筒状であり、ホルダ１０２よりも周部の肉厚や強度がやや大きくなるように成形されている。キャップ１０５は、略Ｄ字状の板状部材で、スリーブ１０４の後端側の内側に嵌挿されて、開口端面を閉塞する。
【先行技術文献】
【特許文献】
【０００７】
【特許文献１】特開２００８−２８５９５５号公報
【特許文献２】特開平３−１７３５２号公報
【特許文献３】特開２００１−４７８０３号公報
【発明の概要】
【発明が解決しようとする課題】
【０００８】
特許文献１によると、離型に際して、両側の堰板を取り外したあと、ホルダ１０２からスリーブ１０４を抜き取る。スリーブ１０４を抜き取るには、パッキン１０３の底部に形成された配管挿通孔を通じて、細径側からプラスチックハンマー等で底部を軽く叩く。即ち、略筒状の樹脂成形品をコンクリート打設前に取り付け、固まった後に成形品をハンマーで叩き、脱枠することによって孔を形成する。しかし、壁厚の種類分の貫通孔形成用型枠装置が必要になるという問題があった。
【０００９】
従って、この発明の目的は、廃棄物を生じず、主要部分は再利用可能で、壁厚の種類に応じて現場で加工が可能な低コストの貫通孔形成用型枠装置およびそれを用いた貫通孔の施工方法を提供することにある。
【課題を解決するための手段】
【００１０】
発明者は従来の問題点を解決するため、鋭意研究を重ねた。その結果、硬い部材の内芯体の外周面に簡単に変形可能な外装体を装着して貫通孔形成用型枠装置を形成し、内芯体を押出成形によって形成し、外側の外装体を例えば一枚ものの部材を螺旋状に巻いて形成すると、コンクリート壁体が形成された後、硬い部材の内芯体は外側の外装体が変形して容易に取り外すことができ、外側の外装体は、螺旋状に巻いた一枚ものの部材を一方の端部から容易に外すことができ、取り外した後、所定の強度の内芯体と外側の外装体とを、再度組み立てることによって再利用が可能であることが判明した。
【００１１】
更に、硬い部材の内芯体の周りに配置された変形可能な外装体の外表面に、コンクリート壁体を形成する材料から容易に剥離可能なフィルム状のカバーを更に接着配置すると、変形可能な外装体を壁面から容易に取り外し、再利用が容易になる。また、硬い部材の内芯体は、押出成形によって形成されているので、壁厚の種類に応じて、現場で所定の長さに加工が可能であることが判明した。この発明は上述した研究結果に基づいてなされたものである。
【００１２】
この発明の貫通孔形成用型枠装置の第１の態様は、壁体に貫通孔を形成するための貫通孔形成用型枠装置であって、
所定の厚さを有し変形可能な材質からなる筒状の外装体と、
前記外装体の内側に軸方向に取り外し可能に配置されて前記外装体を所定の外径に保つ内芯体と、
を備え、
前記内芯体の内径及び外径は、共に、取り出す側が最も大きく、前記取り出す側から前記軸方向の奥に向かって漸次小さくなっており、
前記外装体の外径は、前記軸方向に対して同一であり、
前記外装体の内径は、前記内芯体の外径に対応して前記取り出す側が最も大きく、前記取り出す側から前記軸方向の奥に向かって漸次小さくなっており、
更に、前記外装体の内周断面は、波状あるいは十字状に形成されていて、前記外装体を取り外すときに、前記外装体を変形させて取り出すことができることを特徴とする貫通孔形成用型枠装置である。
この発明の貫通孔形成用型枠装置の第２の態様は、前記外装体の外表面の全体に、フィルム状のカバーを更に備えており、
前記カバーは、前記壁体を形成する材料に対して接着力の小さい材質で形成されていることを特徴とする貫通孔形成用型枠装置である。
この発明の貫通孔形成用型枠装置の第３の態様は、前記カバーが、不織布で形成されていて、前記壁体を形成するコンクリートを流し込むと水分を吸収して膨張し、前記コンクリートが乾燥すると縮小して取り出しやすくなることを特徴とする貫通孔形成用型枠装置である。
【００１８】
この発明の貫通孔の施工方法の第１の態様は、型枠内の貫通孔形成部位に、上述したこの発明の第１の態様の貫通孔形成用型枠装置を配置し、
前記型枠内にコンクリートを打設し、前記コンクリートの硬化後に堰板を取り外し、
前記コンクリート内に埋設された前記貫通孔形成用型枠装置の前記内芯体を、前記外装体から抜き取り、
前記外装体を変形させながら、当該外装体を前記コンクリートの壁体から抜き取って貫通孔を形成する、貫通孔の施工方法である。
この発明の貫通孔の施工方法の第２の態様は、型枠内の貫通孔形成部位に、上述したこの発明の第２または３の態様の貫通孔形成用型枠装置を配置し、
前記型枠内にコンクリートを打設し、前記コンクリートの硬化後に堰板を取り外し、
前記コンクリート内に埋設された前記貫通孔形成用型枠装置の前記内芯体を、前記外装体から抜き取り、
前記外装体を変形させながら、前記カバーと共に当該外装体を前記コンクリートの壁体から抜き取って貫通孔を形成する、貫通孔の施工方法である。
【発明の効果】
【００１９】
この発明の貫通孔形成用型枠装置によると、コンクリート壁体に形成される貫通孔の内壁体に接する外装体を指先等の力で変形が可能な部材で形成し、外装体の内側に配置される内芯体を硬い部材で形成するので、貫通孔形成用型枠装置の内芯体を外装体を変形しながら容易に取り外し、次いで、表面がコンクリートから外れ易い材質の外装体を、それ自体に傷を付けることなく、貫通孔の壁体部から剥離することができ、それぞれそのまま再度組み立てて利用することができる。
【００２０】
この発明の貫通孔形成用型枠装置によると、硬い部材で形成された内芯体の周りに配置された変形可能な外装体の外表面に、コンクリート壁体を形成する材料から容易に剥離可能なフィルム状のカバーを更に接着配置するので、変形可能な外装体を壁体から容易に取り外し、再利用が容易になる。また、所定の強度の内芯体は、押出成形によって形成されているので、壁厚の種類に応じて、現場で加工が可能である。
【００２１】
硬い部材で形成された内芯体の外周面に簡単に変形可能な外装体を配置して貫通孔形成用型枠装置を形成し、内芯体を押出成形によって形成し、外側の外装体を一枚ものの部材を螺旋状に巻いて形成すると、コンクリート壁体が形成された後、内芯体は外側の外装体が変形して容易に取り外すことができ、外側の外装体は、螺旋状に巻いた一枚ものの部材を一方の端部から容易に外すことができ、取り外した後、硬い部材の内芯体と外側の外装体とを、再度組み立てることによって再利用が可能である。
【図面の簡単な説明】
【００２２】
【図１】図１は、この発明の貫通孔形成用型枠装置の１つの態様およびその取り付け・取り外し状態を説明する図である。図１（ａ）は、この発明の貫通孔形成用型枠装置の１つの態様を示す斜視図である。図１（ｂ）は、型枠として配置され、形成されたコンクリート壁体に配置された貫通孔形成用型枠装置を説明する断面図である。図１（ｃ）は、図１（ｂ）に示す状態から、硬い材質の内芯体を取り出した状態を説明する図である。図１（ｄ）は、図１（ｃ）に示す状態から、貫通孔の内壁面から外装体を取り出した状態を説明する図である。図１（ｅ）は、コンクリートの貫通孔から取り外された外装体および内芯体を組み合わせて、貫通孔形成用型枠装置を再利用する状態を説明する図である。
【図２】図２は、外装体および内芯体の別の態様を示す横断面図である。
【図３】図３は、他の態様の貫通孔形成用型枠装置を説明する斜視図である。
【図４】図４は、貫通孔形成用型枠装置において、断面の内周面が波形形状である外装体を説明する断面図である。
【図５】図５は、貫通孔形成用型枠装置において、断面の内周面が十字状に形成されている外装体を説明する断面図である。
【図６】図６は、従来の貫通孔形成用型枠装置を説明する図である。
【発明を実施するための形態】
【００２３】
この発明の貫通孔形成用型枠装置の１つの態様は、壁体に貫通孔を形成するための貫通孔形成用型枠装置であって、
所定の厚さを有し変形可能な材質からなる筒状の外装体と、
前記外装体の内側に軸方向に取り外し可能に配置されて前記外装体を所定の外径に保つ内芯体と、からなる貫通孔形成用型枠装置である。
【００２４】
図１は、この発明の貫通孔形成用型枠装置の１つの態様およびその取り付け・取り外し状態を説明する図である。図１（ａ）は、この発明の貫通孔形成用型枠装置の１つの態様を示す斜視図である。図１（ａ）に示すように、貫通孔形成用型枠装置１は、外装体２と外装体２の内側に密着して挿通配置された内芯体３とからなっている。内芯体は、所定の強度を有する材料からなっており、外装体を支持し、所定の厚さを有している。外装体は、壁体に形成される貫通孔を形成する型枠用の最上層部であって、容易に変形可能な材質からなり、内芯体の外表面に設けられている。
【００２５】
内側に配置される所定の強度を有する内芯体は、塩化ビニル、ポリプロピレン、ポリスチレン等の合成樹脂からなる部材で、略筒状であり、押出し成形によって成形されている。内芯体は金属製であってもよい。外装体は、指先の力で容易に変形可能な例えば発泡材からなり、相対的に硬い材質からなる内芯体の外表面に被せるように配置されている。外装体および内芯体の長さは、コンクリート壁の厚さに対応して設定される。従って、現場においてコンクリートの壁の厚さに応じて所望の長さに容易に加工することができる。
【００２６】
図１（ｂ）は、型枠として配置され、形成されたコンクリート壁体に配置された貫通孔形成用型枠装置を説明する断面図である。図１（ｂ）に示すように、コンクリート壁体を形成するための（図示しない）型枠を配置し、配管用の貫通孔を形成する所望の位置に貫通孔形成用型枠装置１を配置し、コンクリートを打設した後、コンクリート壁体用の型枠を取り外すと、コンクリート壁体４の貫通孔の内壁面５に密接して、貫通孔形成用型枠装置１の外装体２が配置され、外装体の内側に内接して内芯体が配置されている。
【００２７】
この状態では、上述したように、コンクリート壁体４の貫通孔の内壁面５には、指先等の力によって容易に変形する外装体２が密接して配置され、外装体に内接して硬い材質の内芯体が配置されている。外装体は、コンクリートから容易に剥離される部材で形成されていることが好ましい。なお、外装体は、硬い材質の内芯体とコンクリートによって挟まれて、一般的に厚さが薄くなっている。
【００２８】
図１（ｃ）は、図１（ｂ）に示す状態から、硬い材質の内芯体を取り出した状態を説明する図である。図１（ｃ）に示すように、容易に変形する外装体２を変形させて、外装体２の内側に内接して配置されている硬い材質の内芯体３を取り出す。この状態では、図１（ｃ）の上部には、取り出された内芯体３が示され、コンクリート壁体４の貫通孔の内壁面５には、貫通孔形成用型枠装置１の外装体２だけが密接して残されている。  
【００２９】
図１（ｄ）は、図１（ｃ）に示す状態から、貫通孔の内壁面から外装体を取り出した状態を説明する図である。図１（ｄ）に示すように、コンクリート壁体４に形成された貫通孔の内壁面５から、指先の力によって容易に変形する外装体２が取り外され、コンクリート壁体４に形成された貫通孔の内壁面５が露出している。このように、コンクリート壁体から貫通孔形成用型枠装置１の内芯体および外装体がこの順で取り外されて、貫通孔が形成される。
【００３０】
図１（ｅ）は、コンクリート壁体の貫通孔から取り外された外装体および内芯体を組み合わせて、貫通孔形成用型枠装置を再利用する状態を説明する図である。図１（ｅ）に示すように、図１（ｃ）および図１（ｄ）を参照して説明したように、コンクリート壁体の貫通孔から取り出した外装体２および内芯体３を、使用前の状態と同じ状態になるように、外装体２の内側に密着して内芯体３を配置する。外装体２は指先等の力で容易に変形し、硬い材質の内芯体３の外表面に被せるようにして外装体２を配置することができる。
【００３１】
上述したように、貫通孔形成用型枠装置１の内側に配置される硬い材質で形成された内芯体３によって、コンクリート壁体に形成される貫通孔の所望の孔径を確保し、外側に配置される外面が軟らかい材質で形成された外装体２によって、コンクリート壁体４に形成された貫通孔の内壁面５からの剥離を容易にする。硬い材質の内芯体３は容易に変形する外装体２を変形しながら容易に抜き取ることができる。
【００３２】
図２は、外装体および内芯体の別の態様を示す横断面図である。図２に示す態様では、内側に位置する内芯体３は、径の大きさが、手前（図では左側）が大きく、奥に向かって漸次小さくなっている。外側に位置する外装体２は、外径は同一であるが、内径の大きさが、内芯体３の外径に対応して手前（図では左側）が大きく、奥に向かって漸次小さくなっている。なお、内芯体３の厚さは概ね同一であるのに対して、外装体２の厚さは、手前（図では左側）が小さく、奥に向かって漸次大きくなっている。このような形状の外装体２および内芯体３を組み合わせることによって、取り外しが更に容易になる。
【００３３】
図３は、他の態様の貫通孔形成用型枠装置を説明する斜視図である。図３に示すように、この態様の貫通孔形成用型枠装置１は、図１を参照して説明した貫通孔形成用型枠装置１の外側の外装体２の外表面の全体に更にフィルム状のカバー６を備えている。フィルム状のカバー６は、コンクリートと接着し難い材質で形成されている。また、カバー６は、不織布で形成することも可能である。その場合は、貫通孔形成用型枠装置１を配置し、コンクリートを流し込むと、水分を吸収して膨張し、コンクリートが乾燥すると縮小するので、取り外しが容易になる。外装体２とフィルム状のカバー６とは接着されて、同時に取り外すことができることが好ましい。
【００３４】
上述した外装体２と内芯体３は、容易に取り外すことができるように、外装体２の外側摩擦力(Ａ)と内芯体３の外側摩擦力(Ｂ)との関係が、Ａ＞Ｂの関係である。  
【００３５】
図４は、貫通孔形成用型枠装置において、断面の内周面が波形形状である外装体を説明する断面図である。図４に示すように、コンクリート壁体４の貫通孔部の内壁面５に接する外装体２の断面は、内周面７が波形形状を形成している。即ち、コンクリート壁体４の貫通孔部に挿着された貫通孔形成用型枠装置１から、変形可能な外装体２を変形させることによって、内側に配置されている内芯体３を取り出した後、外装体２は、図４に示す断面形状を有している。外装体２の断面における内周面７の形状を波形形状にすることによって、簡単に変形し、取り外しが容易になる。
【００３６】
なお、このように断面の内周面７が波形形状を備えていることによって、内芯体を取り出して形成された空洞部８内に治具等を挿入し、回転させると、外装体２をコンクリート壁体４の貫通孔部の内壁面５からより容易に剥離することができる。上述したように、外装体の外表面は、コンクリート壁体の貫通孔の内壁面から取り外し易い材質によって形成されているので、外表面に傷を付けることなく、外装体２を回収することができる。  
【００３７】
図５は、貫通孔形成用型枠装置において、断面の内周面が十字状に形成されている外装体を説明する断面図である。図５に示すように、コンクリートの貫通孔部の内壁面５に接する外装体２の断面は、内周面７が十字状に形成されている。即ち、コンクリート壁体の貫通孔部に挿着された貫通孔形成用型枠装置１から、簡単に変形可能な外装体を変形させることによって、内側に配置されている内芯体を取り出した後、外装体は、図５に示す断面形状を有している。
【００３８】
このように断面の内周面７が十字状を備えていることによって、内芯体を取り出して形成された空洞部８内に十字形に対応する形状の治具等を挿入し、回転させると、外装体２をコンクリート壁体の貫通孔部の内壁面からより容易に剥離することができる。断面の内周面７を十字状にすることによって、治具と内周面との間の摩擦を大きくすることができ、外装体２をコンクリート壁体４の貫通孔部の内壁面５から容易に剥離することができる。
【００４４】
次に、貫通孔の施工方法を説明する。コンクリート壁体に貫通孔を施工する方法は、先ず、所望の形状になるように型枠を準備し、型枠内の貫通孔形成部位に、図１から図５を参照して説明した何れかの貫通孔形成用型枠装置１を配置する。このように貫通孔形成用型枠装置１が配置された型枠内にコンクリートを打設し、コンクリートの硬化後に堰板を取り外す。次いで、コンクリート内に埋設された貫通孔形成用型枠装置１の内芯体３を、外装体２を変形させながら抜き取り、次いで、外装体２を変形させながら貫通孔の内壁面５から取り外して、貫通孔を形成する。 
【００４５】
上述した態様においては、概ね円筒状の外装体について説明したが、外装体の形状は、円筒状に限定されることなく、略楕円形状、断面四角形状等任意の形状であってもよい。
【００４６】
この発明によると、廃棄物を生じず、主要部分は再利用可能で、壁厚の種類に応じて現場で加工が可能な低コストの貫通孔形成用型枠装置およびそれを用いた貫通孔の施工方法を提供することができる。
【符号の説明】
【００４７】
１  貫通孔形成用型枠装置
２  外装体
３  内芯体
４  コンクリート壁体
５  貫通孔の内壁面
６  カバー
７  内周面
８  空洞部 
【図１】
0005400679.tif 000002
【図２】
0005400679.tif 000003
【図３】
0005400679.tif 000004
【図４】
0005400679.tif 000005
【図５】
0005400679.tif 000006
【図６】
0005400679.tif 000007